(57)【要約】 【課題】    被覆通水シートを持つ嗜好性飲料抽出袋を容易にかつ合理的に製造しうる原料シートを提供する。【解決手段】  この嗜好性飲料抽出袋製造用原料シートは、長手方向に沿って弱め線６が設けられた長尺の濾過シート２に、弱め線６の左右に対向して濾過シート２の一方表面に係止具１が貼合されている。濾過シート２の他方表面には、濾過シート２よりも幅の狭い被覆通水シート３が貼着されている。この貼着は、被覆通水シート２の左右端で長手方向に沿う貼着部位３ａ及び３ｂでなされている。原料シートの弱め線６は切断されていても、切断されていなくてもよい。切断されていない場合には、抽出袋を製造する前又は製造中に切断する。この原料シートを用いて、弱め線６を折り返し線として、係止具１が外側となるようにして二つ折りした後、公知の手段を適用して抽出袋を得ることができる。【選択図】  図６
2014236828.tif 000002
【特許請求の範囲】
【請求項１】
長手方向に沿って弱め線が設けられた長尺の濾過シートと、
前記弱め線の左右に対向して前記濾過シートの一方表面に貼合された係止具と、
前記濾過シートよりも幅の狭い被覆通水シートが、その左右端において長手方向に沿って、前記濾過シートの他方表面に貼着されていることを特徴とする嗜好性飲料抽出袋製造用原料シート。
【請求項２】
弱め線を切断した請求項１記載の嗜好性飲料抽出袋製造用原料シート。
【請求項３】
係止具が弱め線に対して線対称の関係で貼合されている請求項１記載の嗜好性飲料抽出袋製造用原料シート。
【請求項４】
係止具の把手が、濾過シートの左右端側に位置している請求項３記載の嗜好性飲料抽出袋製造用原料シート。
【請求項５】
請求項１〜４記載の嗜好性飲料抽出袋製造用原料シートを用い、弱め線の位置を折り返し線として、係止具が外側となるようにして折り返すことにより製造された嗜好性飲料抽出袋。
【発明の詳細な説明】
【技術分野】
【０００１】
本発明は、コーヒー粉や茶葉等を収納してなる嗜好性飲料抽出袋を製造するための原料シートに関し、抽出袋の上部を被覆する被覆通水シートを備えた抽出袋を合理的に製造するための原料シートに関するものである。
【背景技術】
【０００２】
嗜好性飲料抽出袋は、その内部にコーヒー粉や茶葉等の被抽出物を収納してなるものであり、湯を注ぐことによって、コーヒーや茶が抽出されるものである。かかる嗜好性飲料抽出袋としては種々のタイプがあるが、図１及び図２に示したタイプのものが知られている。すなわち、カップ４の縁に係止するための係止具１と、コーヒー粉等の被抽出物５を収納しコーヒー等を抽出するための袋本体２と、袋本体２の上部を被覆してコーヒー粉等の被抽出物５が上部に溢れ出さないようにするための被覆通水シート３とを備えた嗜好性飲料抽出袋が知られている。なお、係止具１はどのような形態のものであってもよいが、図１及び図２に示した係止具１は把手１ａを引き起こすことにより、カップ４の縁に係止しうるようにされているものである（特許文献１）。
【０００３】
このような嗜好性飲料抽出袋は、従来より、特許文献２記載の原料シートを用いて製造されている。すなわち、図３に示したように、袋本体２となる濾過シート２ａ，２ｂの一方表面に係止具１が貼合されてなる一対の長尺シートを、一定の間隔を置いて平行に並べ、その間に長尺の被覆通水シート３を貼着したものが原料シートとして用いられている。この原料シートは、図４に示す如く、係止具１が外側となるように、濾過シート２ａの左端と濾過シート２ｂの右端とを重ね合わせて二つ折りとし、左端側に露出している被覆通水シート３を押し込み装置１０により、二つ折りされて重ね合わされた濾過シート２ａ，２ｂ間に押し込む。そして、濾過シート２ａの左端と濾過シート２ｂの右端とが重ね合わされた端縁を超音波シール機１１によって溶着し、袋本体２の底が形成される。その後、幅方向に溶断機１２を用いて、袋本体２の側縁が溶着されると共に切断されて、嗜好性飲料抽出袋が得られるのである。なお、被抽出物は、濾過シート２ａと２ｂの間に挿入されたホッパー１３から、適宜供給される。
【０００４】
しかしながら、上記の方法は特許文献３の段落０００６及び０００７に記載されているように、種々の欠点を有していた。すなわち、濾過シート２ａと濾過シート３ｂの平行を保ちながら、被覆通水シート３を貼着しなければならず、かかる作業が煩雑で困難であるという欠点があった。また、被覆通水シート３が押し込み装置１０で、濾過シート２ａ及び２ｂの間に押し込まれるため、注湯口の縁辺がきれいな直線状になりにくいという欠点があった。
【０００５】
かかる欠点が解決するため、特許文献３では、図５に示すように、濾過シート２ａと２ｂを別体とせずに一枚の濾過シート２とし、一方、被覆通水シート３は濾過シート２に貼着せずに用いることが提案されている。すなわち、濾過シート２の幅方向左右に係止具１を貼合したものを、係止具が外側となるように二つ折りにすると共に、被覆通水シート３も同様に二つ折りにして、濾過シート２の幅方向左右端と被覆通水シート３の幅方向左右端とを、各々、溶着して嗜好性飲料抽出袋を製造することが提案されている。
【０００６】
しかしながら、特許文献３記載の方法では、二つ折りした濾過シート２と二つ折りした被覆通水シート３とを、その左右両端縁がきれいに重なり合うように配置することが困難であった。また、二つ折りした濾過シート２の内側と、二つ折りした被覆通水シート３の外側の間に、被抽出物を供給することも困難であった。たとえば、両者の間が狭い場合には、ホッパー１３によって被抽出物を供給しても、被覆通水シート３の内側に被抽出物が供給されて脱落してしまう恐れがあった。
【０００７】
【特許文献１】特許第５１５２７７９号公報
【特許文献２】特開２００６−３２０５９７号公報
【特許文献３】特許第５０７１６４０号公報（段落０００４〜０００９）
【発明の開示】
【発明が解決しようとする課題】
【０００８】
本発明の課題は、特許文献２記載と同様の方法で嗜好性飲料抽出袋を製造できるにも拘わらず、特許文献２記載の方法で生じる欠点を解決することにある。すなわち、濾過シート２ａと濾過シート２ｂの平行を保ちながら、被覆通水シート３を貼着するという作業が不要であり、しかも被覆通水シート３を押し込み装置１０で押し込む必要のない嗜好性飲料抽出袋製造用原料シートを提供することにある。
【課題を解決するための手段】
【０００９】
本発明は、濾過シート２ａ及び２ｂを別体とせずに、一枚の濾過シートの中央部に長手方向に沿って弱め線を設け一枚のシートとして扱えるようにすると共に、後に弱め線を切断することにより、一枚の濾過シートを別体とすることによって、上記課題を解決したものである。すなわち、本発明は、長手方向に沿って弱め線が設けられた長尺の濾過シートと、前記弱め線の左右に対向して前記濾過シートの一方表面に貼合された係止具と、前記濾過シートよりも幅の狭い被覆通水シートが、その左右端において長手方向に沿って、前記濾過シートの他方表面に貼着されていることを特徴とする嗜好性飲料抽出袋製造用原料シートに関するものである。この弱め線は、原料シート製造中においては切断されていないが、製造後から嗜好性飲料抽出袋を作成するまでの任意の段階で切断され、濾過シートが左右別体となる。そして、この弱め線の位置を折り返し線として折り返しながら、従来の図４記載の如き装置であって押し込み装置１０を不要した装置によって、嗜好性飲料抽出袋を製造することができる。
【発明の効果】
【００１０】
本発明に係る嗜好性飲料抽出袋製造用原料シートは、長手方向に沿う弱め線を介して濾過シートが一体となっているため、弱め線の左右に存在する従来の濾過シート２ａ及び２ｂに対応するシート領域は常に平行に保たれている。したがって、この濾過シートの他方表面に被覆通水シートを貼着する際に、従来の濾過シート２ａ及び２ｂのように両者の平行を保ちながら貼着する必要はなく、被覆通水シートを貼着する作業が容易であるという効果を奏する。また、本発明に係る嗜好性飲料抽出袋製造用原料シートは、弱め線に対応する位置を折り返し線として、濾過シートを折り返しながら嗜好性飲料抽出袋を製造するので、従来の如く二つ折りした濾過シート２ａ及び２ｂの端から被覆通水シートが飛び出さず、被覆通水シートは折り返された濾過シート内に収まっている。したがって、被覆通水シートを濾過シートで形成された袋本体内に押し込む必要がなく、嗜好性飲料抽出袋が容易にかつ合理的に製造しうると共に、注湯口の縁辺は弱め線の切断部位となっており綺麗な直線を維持しうるという効果を奏する。
【発明を実施するための形態】
【００１１】
図６は、本発明の一例に係る嗜好性飲料抽出袋製造用原料シートの表面図であり、図７はその裏面図である。この原料シートは長尺状であって、袋本体２となる濾過シート２の中央部に長手方向に沿って弱め線６が設けられている。濾過シート２としては、従来公知の抽出性の良好な布帛類が用いられるが、一般的には不織布を用いるのが好ましい。弱め線６は手指で容易に破断しうる線のことであり、一般的にはミシン目で構成されている。また、袋本体２となる濾過シート２の表面には、弱め線６に対して左右対称に係止具１が貼合されている。係止具１としては、従来公知のものが用いられるが、図６では特許文献１に記載された係止具が用いられている。係止具１の把手１ａは、濾過シート２の左右端側に位置している点で、特許文献２記載の原料シートとは異なる。これは、濾過シート２の左右端が袋本体２の底となるからである。係止具１は、弱め線６を設ける前に濾過シート２に貼合してもよいし、弱め線６を設けた後に濾過シート２に貼合してもよい。貼合は接着剤を用いて行ってもよいし、濾過シート２が熱可塑性のものである場合には、この熱可塑性を利用して熱接着してもよい。この濾過シート２の裏面には、濾過シート２よりも幅の狭い長尺状の被覆通水シート３が貼着されている。被覆通水シート３も、従来公知の通水性の良好な布帛類が用いられが、一般的には不織布が用いるのが好ましい。この貼着も接着剤を用いて行ってもよいし、濾過シート２又は被覆通水シート３が熱可塑性のものである場合には、この熱可塑性を利用して熱接着してもよい。濾過シート２及び被覆通水シート３は、いずれも不織布で構成するのが好ましいが、この場合、濾過シート２を構成する不織布は繊維間隙の密なものが用いられ、被覆通水シート３を構成する不織布は比較的繊維間隙の粗なものが用いられる。これは、被覆通水シート３は注湯による湯の通過性を良好するためであり、濾過シート２は抽出性を良好にするためである。被覆通水シート３の濾過シート２に対する貼着は、その左右端で行われる。図７中の３ａ及び３ｂは、被覆通水シート３の貼着部位を示したものであり、長手方向にそって左右端で貼着されている。これによって、被覆通水シート３は抽出袋本体の上部を覆うことになり、注がれた湯は、この被覆通水シート３を通って被抽出物５に至ることになる。
【００１２】
この原料シートの弱め線６は、原料シートを得た後に切断される。切断する時期は、嗜好性飲料抽出袋を製造する前であれば、いつでもよい。また、嗜好性飲料抽出袋を製造する際に切断してもよい。この原料シートを用いて嗜好性飲料抽出袋を製造する方法は、図４に示したとおりであるが、図４中の押し込み装置１０が不要であることは前述したとおりである。すなわち、図６に示す原料シートの弱め線６を折り返し線として、係止具１が外側となるように二つ折りする。この際、弱め線６は一般的に既に切断されているが、二つ折りにした後に弱め線６を切断してもよい。二つ折りにすることにより、濾過シート２の左右端が重ね合わされており、この重ね合わせの位置を超音波シール機１１で溶着する。この際、ホッパー１３によって、被抽出物を重ね合わされた原料シートの間に挿入する。そして、溶断機１２によって、二つ折りされた原料シートの幅方向を溶着すると共に切断すれば、嗜好性飲料抽出袋を連続して製造することができるのである。得られた嗜好性飲料抽出袋は、係止具１の把手１ａを引き起こすことにより、弱め線６が存在した部位が開いて抽出袋の注湯口となるのである。
【図面の簡単な説明】
【００１３】
【図１】被覆通水シートを持つ従来の嗜好性飲料抽出袋を使用した状態の模式的断面図である。
【図２】図１に示された嗜好性飲料抽出袋の平面図である。
【図３】被覆通水シートを持つ従来の嗜好性飲料抽出袋製造用原料シートの表面図である。
【図４】図３に示された原料シートを用いて、嗜好性飲料抽出袋を製造方法を示す模式図である。
【図５】被覆通水シートを持つ従来のその他の原料シートを用いて、嗜好性飲料抽出袋を製造方法を示す模式図である。
【図６】本発明の一例に係る嗜好性飲料抽出袋製造用原料シートの表面図である。
【図７】図６に示した原料シートの裏面図である。
【符号の説明】
【００１４】
１          係止具
２          濾過シート（濾過シートよりなる袋本体）
２ａ，２ｂ  別体となった一対の濾過シート
３          被覆通水シート
３ａ，３ｂ  濾過シートと被覆通水シートの貼着部位
４          カップ
５          被抽出物
６          弱め線
【図１】
2014236828.tif 000003
【図２】
2014236828.tif 000004
【図３】
2014236828.tif 000005
【図４】
2014236828.tif 000006
【図５】
2014236828.tif 000007
【図６】
2014236828.tif 000008
【図７】
2014236828.tif 000009